(57)【特許請求の範囲】
【請求項１】
断面四角形状の上枠および下枠のそれぞれの長手方向中間部に固定される固定部材と、隣接する一対の戸それぞれの上部および下部にとりつけられる回転部材とを備えており、上記固定部材は垂直部と水平部を備える略Ｌ型に形成しており、この垂直部と水平部が上記上枠および下枠の垂直面と水平面に対して２面から当接せしめた状態で該固定部材の水平部に止具を介して固定できるように構成されており、さらに該固定部材の垂直部には軸挿入孔を形成しており、一方回転部材は戸の取付部の一側に軸挿入孔を形成しており、上記固定部材と回転部材は各軸挿入孔に軸棒を通して上下方向に一体的に、かつ回転部材が回転可能に形成されていることを特徴とする両開き用ピボットヒンジ。
【請求項２】
隣接している一対の戸が相手の戸の側に略１８０度回転できる面格子であり、かつ請求項１記載のピボットヒンジを備えることを特徴とする面格子。
【発明の詳細な説明】
【０００１】
【発明の属する技術分野】
本発明は両開き用ピボットヒンジならびにそのヒンジを用いた両開きのできる面格子に関する。
【０００２】
【発明が解決しようとする課題】
従来観音開き式の面格子は、それぞれ両側の窓枠とヒンジを介して開閉自在に取り付けられている。ところがベランダ、バルコニ、廊下等に設置されている面格子の両側に位置している建物の外壁が面格子よりも外側に突出しているために、面格子は一杯に開けても９０〜１３０度くらいであり、それゆえに戸の先端側が上記ベランダ、バルコニ、廊下等の通路にまで大きく突出するので緊急避難時の人や物品の進行の妨げとなっていた。これが高層マンションにおいては死傷事故につながるという大きな問題であった。
上記の問題点を解決するために本発明者は鋭意工夫を重ねて後述する特殊な構造のピボットヒンジならびにそれを用いた面格子を発明したのである。
【０００３】
【課題を解決するための手段】
本発明つぎの特徴を備えている。
その一つは「断面四角形状の上枠および下枠のそれぞれの長手方向中間部に固定される固定部材と、隣接する一対の戸それぞれの上部および下部にとりつけられる回転部材とを備えており、上記固定部材は垂直部と水平部を備える略Ｌ型に形成しており、この垂直部と水平部が上記上枠および下枠の垂直面と水平面に対して２面から当接せしめた状態で該固定部材の水平部に止具を介して固定できるように構成されており、さらに該固定部材の垂直部には軸挿入孔を形成しており、一方回転部材は戸の取付部の一側に軸挿入孔を形成しており、上記固定部材と回転部材は各軸挿入孔に軸棒を通して上下方向に一体的に、かつ回転部材が回転可能に形成されていることを特徴とする両開き用ピボットヒンジ」である。
その二つは「隣接している一対の戸が相手の戸の側に略１８０度回転できる面格子であり、かつ上記記載のピボットヒンジを備えることを特徴とする面格子」である。
【０００４】
【作用】
本発明によれば、ピボットヒンジの固定部材を予め上下枠の長手方向の中間位置に固定し、ついで軸棒を介して中間にくる回転部材と内側にくる回転部材を一体的にセットする。しかるのち隣接する一対の戸（面格子）の縦さんと上記回転部材をビス等で止着してとりつける。
【０００５】
この状態では固定部材の垂直部と水平部が上記枠の垂直面と水平面の２面に対して当接状態で、かつ水平部において止具を介して固定されているので強固な固定となり、したがって軸棒を介して一体に連結している回転部材ならびにこれに止着される面格子の取付け安定性が確保される。
【０００６】
さらに戸の開閉はスムーズにでき、かつ開口できる角度は相手の戸の側に略１８０度回転可能であり、よってこの状態ではベランダ、バルコニ、廊下等の避難通路に大きく突出して通路を塞ぐという従来の問題点は全く解消したこととなり、通路は広いままで使用できるので従来の欠点であった高層マンションにおける避難時の死傷事故が解消できる。
【０００７】
【実施例】
以下図面を用いて本発明の実施例について説明する。図１はピボットヒンジの固定部材を示す。１は硬質の合成樹脂製、アルミダイカスト製等からなる固定部材で、上枠および下枠の長手方向中間位置に固定される。図示では下枠１０に止具で固定している。２は水平部、３は垂直部で略Ｌ型に成型されている。しかして図のように上下枠に対して枠の垂直面と水平面の２面から当接する構造である。水平部２には両側に当部２ａが一体成型されており、中央部には止具挿入孔２ｃが形成されている。この当部によって水平部と枠の水平面との接触面積を大きくして、固定部材の支持を安定させている。
垂直部３には軸棒を挿入する軸挿入孔２ｂを形成している。
【０００８】
図２はピボットヒンジの回転部材を示す。４は略方形板状の回転部材である。材質は前記固定部材と同じである。４ａは戸の取付部で、止具孔４ｃを介して止具によって一方側の戸（面格子）の側端の縦さんに固定される。８ａは縦さんである。４ｂは取付部の一側に設けた軸部で、４ｄはそこに形成している貫通状の軸挿入孔である。この回転部材は図４に示しているように固定部材の内側に続いて設けられている。
【０００９】
図３は図２と同様にピボットヒンジの略方形板状の回転部材である。この回転部材は他方側の面格子の側端の縦さんにとりつけられる。図４で示しているように回転部材４のさらに内側に取付けられる。
５ａは戸の取付部、５ｃは止具孔、５ｂは軸部で、５ｄは一端を塞いでいる軸挿入孔である。
【００１０】
図４は前記図１〜３で示すピボットヒンジの各部材をセットした状態を示している。上枠９および下枠１０には固定部材１がとりつけられており、これの軸挿入孔に回転部材の回転軸となる軸棒６が立設されている。この軸棒に回転部材４、５の軸挿入孔が挿入されて回転部材が回転可能となる。
７は必要に応じてとりつけるリング状の座板またはパッキングで、これは回転部材の回転時の接触摩擦を軽減してスムーズに回転させるために、部材の間にしかも軸棒に遊嵌状態で介在せしめている。
【００１１】
図４では上下枠にピボットヒンジをそれぞれセットした状態をしめしているが、当業者であれば理解できるように、下枠にとりつけているヒンジの各部材は固定部材にとりつけている軸棒に回転部材の軸挿入孔を上から単に挿入すれば一体的にセットできる。しかし上枠にとりつけるヒンジは固定部材に取り付けた軸棒に回転部材の軸挿入孔を挿入しただけでは脱落するので、これが脱落しないでとりつけるための脱止め構造にすることは当然である。
あるいは回転部材を予め戸（面格子）に止具によってとりつけ、それを固定部材とセットすることも十分に理解できる。要はピボットヒンジを介しての面格子の枠への取り付けは、戸の荷重を上下枠のヒンジにに分散するか、下枠のヒンジだけで受けるか、あるいは取り付け手順も含めて適宜選択して決めればよい。
【００１２】
図５は本発明のピボットヒンジを用いた本発明の面格子の略正面図である。断面四角形状の上下枠９、１０にはその長手方向中間部にピボットヒンジの固定部材１が取り付けられており、これに回転部材４、５が一体に取り付けられている。しかして回転部材４には一方の面格子の縦さんが、回転部材５には他方の面格子の縦さんが止具で止着されている。なお一対の面格子は対称に形成されている。
【００１３】
図６は図５に示す一方（右側）の面格子を外側（矢印方向）に開口し、他方（左側）の面格子に重なる位置まで略１８０度回転した状態を示している。この状態では避難通路に戸の先端が突出していない。一対の面格子はどちらも開口できるが避難脱出時にはいずれか一方を素早く開口すればよい。
【００１４】
【効果）
本発明によれば、ピボットヒンジの固定部材を予め上下枠の長手方向の中間位置に固定し、ついで軸棒を介して中間にくる回転部材と内側にくる回転部材を一体的にセットする。しかるのち隣接する一対の戸（面格子）の縦さんと上記回転部材をビス等で止着してとりつける。
この状態では固定部材の垂直部と水平部が上記枠の垂直面と水平面の２面に対して当接状態で、かつ水平部において止具を介して固定されているので強固な固定となり、したがって軸棒を介して一体に連結している回転部材ならびにこれに止着される面格子の取付け安定性が確保される。
【００１５】
さらに戸の開閉はスムーズにでき、かつ開口できる角度は相手の戸の側に略１８０度回転可能であり、よってこの状態ではベランダ、バルコニ、廊下等の避難通路に大きく突出して通路を塞ぐという従来の問題点は全く解消したこととなり、通路は広いままで使用できるので従来の欠点であった高層マンションにおける避難時の死傷事故が解消できる。
【図面の簡単な説明】
【図１】本発明ピボットヒンジの固定部材の一実施例を示し、Ａは平面図、ＢはＡのＸ−Ｘ断面図、Ｃは右側面図。
【図２】本発明ピボットヒンジの回転部材の一実施例を示し、Ａは正面図、ＢはＡのＹ−Ｙ断面図。
【図３】本発明ピボットヒンジの回転部材の他の実施例を示し、Ａは正面図、ＢはＡのＺ−Ｚ断面図。
【図４】上下枠および戸の上部および下部にとりつけられる図１〜図３に示す部材を軸棒を介して一体にセットした本発明ピボットヒンジの状態図。
【図５】本発明のピボットヒンジを用いた面格子の一実施例を示す略正面図。
【図６】図５に示す面格子のピボットヒンジとの取付状態および面格子の回転状態を示す略平面図。
【符号の説明】
１          固定部材
２          水平部
２ｂ        軸挿入孔
３          垂直部
４、５      回転部材
４ａ、５ａ  取付部
４ｂ、５ｂ  軸部
４ｄ、５ｄ  軸挿入孔
６          軸棒
７          座板またはパッキング
８          戸（面格子）
８ａ        縦さん
９          上枠
１０        下枠
【図１】
0004317961.tif 000002
【図２】
0004317961.tif 000003
【図３】
0004317961.tif 000004
【図４】
0004317961.tif 000005
【図５】
0004317961.tif 000006
【図６】
0004317961.tif 000007